(57)【要約】【課題】  歯磨きにおいて、小さな力で歯間及び歯肉に一定の磨き圧力が得られると同時に、細かく歯ブラシを動かす動作をどの歯に対しても行なえ、均一に磨けることを確実に遂行させられる歯ブラシの補助具を提供する。【解決手段】  歯ブラシを挿入する合成樹脂からなるリング部と、このリング部に手で握るための柄部を設け、このリング部に歯ブラシの頚部を挿入し、歯ブラシを握らない手で柄部を引っ張ると、リング部と歯ブラシの接点は力点とテコの支点となり、小さな力で大きな磨き圧力と柔らかなブラッシング動作を同時に得られ、どの歯も均一に磨けることを特徴とする歯ブラシのブラッシング安定具である。【選択図】図４
2016112362.tif 000002
【特許請求の範囲】
【請求項１】
歯ブラシを挿入する合成樹脂からなるリング部と、このリング部に手で握るための柄部を設け、このリング部に歯ブラシの頚部を挿入し、歯ブラシを握らない手で柄部を引っ張ると、リング部と歯ブラシの接点は力点となると共に、テコの支点にもなり、小さな力で大きな磨き圧力と柔らかなブラッシング動作を同時に得られ、どの歯に対しても均一に磨けることを特徴とする歯ブラシのブラッシング安定具。
【請求項２】
前記記載の柄部の後部にもリングを設けたことを特徴とする請求項１に記載のブラッシング安定具。
【発明の詳細な説明】
【技術分野】
【０００１】  本発明は、歯磨きにおいて、両手を使うことにより、小さな力で歯間及び歯肉に一定の磨き圧力が得られると同時に、細かく歯ブラシを動かす動作をどの歯に対しても行なえ、均一に磨けることを確実に遂行させられる、歯ブラシのブラッシング安定具に関するものである。
【背景技術】
【０００２】  現在、歯磨きは歯周病を防止するため、正しい歯磨方を強く求められており、それには、大きく強く磨くのではなく、歯ブラシを歯間部と歯頸部にしっかりと当てながら、歯ブラシを細かく動かすことによって、歯垢の元となる汚れ及び歯垢を落とすことが求められている。
この目的のため、様々な歯ブラシが販売されているが、歯ブラシの形状をどのように変えても、本来の目的を果たせることは不可能で、歯科医師も盛んに正しい磨き方を患者に教えているのであるが、長続きしないのが現状である。
この解決法して、バネ式歯ブラシがあった（特許文献１参照）。
また、手や腕の不自由な人等用に、握り易い柄部を有する歯ブラシがあった（特許文献２参照）。
【先行技術文献】
【０００３】
【特許文献１】  特開２００９−２９１５７８号公報
【特許文献２】  特開２０１１−７８５５６号公報
【発明の概要】
【発明が解決しようとする課題】
【０００４】  しかしながら、次のような問題があった。
（イ）歯ブラシは非常に種類が多く、ブラシの硬さ、ブラシの大きさ、ブラシの立体的なカット、ブラシの毛先の形状、様々な柄部の形状など、実に多くの種類の歯ブラシが考えられ販売されているが、絶対的な物は無い。
（ロ）歯ブラシで歯を磨くことにおいて、大きく磨くのではなく、歯ブラシを歯間部と歯頸部にしっかりと当てなから、歯ブラシを細かく動かすことによって、歯垢の元となる汚れ及び歯垢を落とすことが求められている。
（ハ）しかし、この動作はかなり難しく、どうしても歯ブラシを強く、大きく動かして歯を磨くだけになり、肝心の歯間部と歯頸部を磨く目的を果たしていない。
（ニ）これは、歯の位置により歯ブラシの持ち方が異なるためで、磨き方がバラバラになり、特に前歯の裏や、利き手側の犬歯が磨きにくいので、磨きに均一性が出せない。
（ホ）これを解決する方法として特許文献１においては、バネ式歯ブラシを用い、特許文献２では手や腕の不自由な人等用に、握り易い柄部を有する方法を用いているが、どちらの方法も歯ブラシの柄の中央部、またはそれより後部を持つことに変わりはなく、柄部には大きな力を必要とし、歯の上下、左右、裏表の歯の位置により、手首や指の角度が異なるため、柄部に掛かる力にバラつきが生じる。
（ヘ）ここで、通常の歯ブラシを使った場合に生じる力の合成力を力学的に説明する。
図３において、通常の歯磨きは歯ブラシのほぼ中央のＡ、Ｂ付近を、親指、人差し指、中指の三本で握り、鉛筆を持つ感じで磨くことを推奨されているが、歯の位置により親指と人差し指の位置が逆転し、磨き圧が変化してしまう。
（ト）図３において、歯ブラシを歯に押し付けた場合Ａ、Ｂ点に働く力をそれぞれＦ１、Ｆ２とし、その合力Ｆ３の作用点をＯとすると、
2016112362.tif 000003
ＯはＡＢをＦ１、Ｆ２の反比に外分する点となるので、
2016112362.tif 000004
ＯＡ＝ｌ１、ＯＢ＝ｌ２から
2016112362.tif 000005
の関係が得られる。
（１）、（２）、（３）の式から、一般的な歯ブラシにおける指を置く位置ＡＢ間ｌは、２〜３ｃｍなのでこれに次の数値を入れる。
以下の数値は本発明における効果を示すための比較の数値で、おおよその数値である。
例えば、ＯＡ＝８ｃｍ、ＯＢ＝６ｃｍ、Ｆ３＝１００ｇ重とすると、
約Ｆ１＝３００ｇ重
約Ｆ２＝４００ｇ重
となる。
（チ）これより、ＡＢ間ｌは親指と人差し指の間隔なので狭く、またＯ点までの距離が長いため、歯ブラシ部に圧力が掛からず、Ｆ３に１００ｇの磨き圧力を得るために、Ｆ１、Ｆ２にそれぞれ３００ｇ重と４００ｇ重の力が必要となるので、指に力が入ったり、強く握ったりしてＦ３の磨き圧力は大きく変化してしまうことが判る。
本発明は、以上の問題点を解決するためなされたものである。
【課題を解決するための手段】
【０００５】  歯ブラシを挿入する合成樹脂からなるリング部と、このリング部に手で握るための柄部を設け、このリング部に歯ブラシの頚部を挿入し、歯ブラシを握らない手で柄部を引っ張ると、リング部と歯ブラシの接点は力点とテコの支点となり、小さな力で大きな磨き圧力と柔らかなブラッシング動作を同時に得られ、これは、両手を使用して歯磨きの動作を分担したことにより得られたことであり、どの歯も均一に磨けることが出来る。
以上を特徴とする歯ブラシのブラッシング安定具である。
【発明の効果】
【０００６】  本発明はこの様な構造のため次のような効果をもたらす。
（イ）図４は本発明を装着した歯ブラシにおける力学的説明の図であるが、この図において、ブラッシング安定具（Ｋ１）のリング（１０）に歯ブラシの頚部を挿入し、歯ブラシを持たない手でブラッシング安定具の柄部（２０）を引っ張りながら歯ブラシを動かすと、リング（１０）が歯ブラシと当たるＢ点が力点となり、安定した力で歯ブラシを歯に押し当てて磨き圧力が一定となり、磨きのバラつきがなくなる。
（ロ）しかも、Ｂ点は歯ブラシにとってテコの支点にもなるため、図６の実施状態図に示すように、歯ブラシの柄部の最後端を軽く握り、今までとは逆の上方向に小さな力Ｆ１を加えるだけで、磨き圧力を微調整できる。
（ハ）よって、磨き圧力を一定にする動作を殆んど考えなくてよくなるので、ブラッシングは、歯ブラシの歯に対する角度と前後の小刻みな動きＦ４に集中でき、理想に近い歯磨きが可能になる。
（ニ）現在、磨き方では次の三つの動作が要求されている。
▲１▼歯ブラシの先が歯間に入るような適度な力で押し当てる。
▲２▼歯ブラシが歯肉に斜めに当たるように角度を調整する。
▲３▼歯ブラシを大きく動かさず、細かく動かす。
であるが、すべての歯に対して、片手でこれらの動作を、均一に行なうことは極めて難しく、殆んど不可能なことである。
（ホ）しかしながら、本安定具により大きく分けて、▲１▼の歯ブラシを押し付ける動作と、▲２▼および▲３▼の当たる角度と歯ブラシを動かす動作とを分担したため、三つの動作が安定し、どの歯に対しても磨きを均一にすることが出来る。【０００７】（イ）図７はリングを二個にした構造の物であるが、リングを二個にしたことにより、ブラッシング安定具（Ｋ２）が歯ブラシと一体となり、また前リング（１２）が後リング（１３）より大きいので、溝に掛けた指は自ずと前リング（１２）側に力が掛かり、歯ブラシの向きを変えても、図６と同じような力の掛かり方になる。
（ロ）溝に掛ける指は、上部裏側の歯の場合のみ親指で、その他は人指し指一本で済み、よって大きな力を掛けずにどの歯に対しても均一な負荷で磨くことが出来る。
また、歯ブラシと一体となって動かせるので、リングが一個より磨き方向を考えなくて済むため磨き易い。
（ハ）手が不自由な人や指に障害のある人等、また片手で磨くのが困難な人たちにとって、磨き圧を掛けることや、上下、左右の磨き難さを克服できる。
（ニ）歯ブラシを特別な構造にすることなく、一般の歯ブラシをそのまま生かして使用することが出来る。
【図面の簡単な説明】
【０００８】
【図１】  本発明の正面図
【図２】  図１中のリング部のＣ−Ｃ拡大断面図
【図３】  通常の歯ブラシにおける力学的説明の正面図
【図４】  本発明を装着した歯ブラシにおける力学的説明の正面図
【図５】  本発明のリング部の別形態の側面図
【図６】  本発明の実施時における手の状態を示した状態図
【図７】  本発明の別形態の斜視図
【図８】  本発明の別形態の実施時における手の状態を示した状態図
【発明を実施するための形態】
【実施例１】
【０００９】  以下、本発明の実施例１の形態を図１、図５、図６を用いて説明する。
（イ）図１において、歯ブラシが楽に出し入れ出来る円形状の合成樹脂からなるリング（１０）に、このリングを固定し、手で握るための柄部（２０）を設ける。
（ロ）リング（１０）は、歯ブラシを挿入して強く激しく動かしても円滑に動かせるように、断面は円形で硬く滑らかな材質からなる。
（ハ）リング（１０）が合成樹脂であるのは、金属であると顔や、特に歯に当たると不快なためであるが、金属を芯にする場合は合成樹脂でコーティングする。
（ニ）また、材質を塩化ビニール、ウレタン、ナイロンなどの軟質な合成樹脂であると、歯や顔に対する当たりが優しくなり、磨きやすくなる。
図５において、リング（１１）は軟質な合成樹脂からなり、変形して伸びるため歯ブラシの頚部に密着し、歯ブラシの前後の動きに同調して動くため、リング（１０）より摩擦抵抗が少なくなり、歯ブラシがより動かし易くなる。
（ホ）柄部（２０）は引っ張り易いように、下部に膨らみを持たせてある。
【実施例２】
【００１０】（イ）図７、図８は本発明の別形態の実施例２を示す図で、柄部（２１）の反対側にも後リング（１３）を設け、この後リング（１３）は前リング（１２）より小さく、柄部（２１）には前リング（１２）側に寄って指掛け溝（２）を設けた、ダブルリングブラッシング安定具（Ｋ２）である。
（ロ）リングが一個であると、図６に示すように、歯ブラシと直角になるように磨くためには、歯ブラシの動きに合わせて、常に引っ張り方向を考えながら磨かなければならない。
しかし、リングが二個になることによりブラッシング安定具が歯ブラシと一体となり、また前リング（１２）が後リング（１３）より大きいので、指掛け溝（２）に掛けた指は自ずと前リング（１２）側に力が掛かり、歯ブラシをどのように動かしても、図６と同じような力の掛かり方になる。
（ハ）柄部（２１）には、指が掛けやすく滑らないための指掛け溝（２）を設けてあり、この溝に指を引っ掛けて引っ張ることにより安定して磨くことが出来る。【００１１】  本発明は以上のような構成であるが、この構成により今までの歯磨きと異なる点と、使用方を力学的に説明する。
（イ）通常の歯磨きは、図３のように歯ブラシのほぼ中央のＡ、Ｂ付近に親指と、人差し指と中指の三本で磨くことを推奨されているが、本発明では、図４のようにブラッシング安定具（Ｋ１）をブラシ面近くの頚部に当て、歯ブラシを持たない手でこれを引っ張り、磨き圧力を得る。
（ロ）発明が解決しようとする課題の項で説明した、通常の歯磨きにおける力学的説明と本発明における力学的説明を比較説明する。
図４において、Ａ、Ｂ点に働く力をＦ１、Ｆ２とし、その合力Ｆ３の作用点Ｏは同じで、
2016112362.tif 000006
ＯはＡＢをＦ１、Ｆ２の反比に外分する点となるので、
2016112362.tif 000007
ＯＡ＝ｌ１、ＯＢ＝ｌ２から
2016112362.tif 000008
の関係が得られる。
（１）、（２）、（３）の式に、ブラッシング安定具（Ｋ１）を置く位置Ｂと、歯ブラシの柄に手を添える位置Ａに次の数値を入れる。
以下の数値は本発明における効果を示すための比較の数値で、おおよその数値である。
ＯＡ＝１５ｃｍ、ＯＢ＝３ｃｍ、Ｆ３＝１００ｇ重とすると、
約Ｆ１＝２５ｇ重
約Ｆ２＝１２５ｇ重
となる。
通常の歯磨きでブラシ圧Ｆ３の１００ｇ重を得るには、Ｆ１＝３００ｇ重、Ｆ２＝４００ｇ重の力が必要だったのが、Ｆ１＝２５ｇ重、Ｆ２＝１２５ｇ重とずっと小さくなり、無駄な力が不要になるため磨き圧力Ｆ３が安定する。
（ハ）Ｂ点は歯ブラシにとって磨き圧力Ｆ３を加える力点となるが、ＯＢ間が短いので、ブラッシング安定具（Ｋ１）を引く力が殆んど無駄なく歯ブラシのＯ点に掛かる。
（ニ）ブラッシングのための手の握りは歯ブラシの柄の最後端でよく、図６に示すように三本指で軽く握るだけで保持でき、Ｆ４方向に前後にブラッシングするだけに専念でき、よって、歯ブラシの当たる角度の調整も楽に変えられる。
しかもＢ点は歯ブラシにとってテコの支点にもなるため、歯ブラシの柄部の最後端を軽く握り、今までの歯磨きとは逆の上方向に、小さな力Ｆ１を加えるだけで磨き圧力Ｆ３を得られると共に微調整も容易に出来る。
（ホ）ブラッシング安定具（Ｋ１）を引っ張る手は引っ張ることにのみに専念でき、上下、左右すべての方向に対して均一に磨き圧力を掛けられる。
（ヘ）図７、図８に示す、ダブルリングブラッシング安定具（Ｋ２）では、二個のリングにおいて、前リング（１２）が後リング（１３）より大きいので、指掛け溝（２）に掛けた指は自ずと前リング（１２）側に力が掛かり、図６で示した力の掛かり方と同じようになる。【００１２】  以上、本発明の形態について詳細に説明し、リングが一個の場合と二個の場合の同等性と違いについて説明したが、当然、リングと歯ブラシを一体化する形態は容易に考えられることであり、図面及び形態説明は省略してあるが、固定してあると以下のような問題や利点があるため、挿入方式とした。
（イ）特に、奥歯を磨く場合、リングが固定されていると口に当たって磨き難い。
（ロ）歯ブラシは、１〜２ケ月で交換するので、一体化しているとブラッシング安定具が無駄になる。
（ハ）市販されているどの歯ブラシにも使用できる。
【符号の説明】
【００１３】    １  歯ブラシ
２  指掛け溝
３  指
１０  リング
１１  軟質リング
１２  前リング
１３  後リング
２０  柄部
２１  ダブルリング柄部
Ｋ１  ブラッシング安定具
Ｋ２  ダブルリング  ブラッシング安定具
【図１】
2016112362.tif 000009
【図２】
2016112362.tif 000010
【図３】
2016112362.tif 000011
【図４】
2016112362.tif 000012
【図５】
2016112362.tif 000013
【図６】
2016112362.tif 000014
【図７】
2016112362.tif 000015
【図８】
2016112362.tif 000016